(57)【特許請求の範囲】
【請求項１】
負荷と交流電源との間に挿入されるスイッチ部を備えるとともにスイッチ部に並列的に接続された位置確認灯を備える位置確認灯付きスイッチとともに用いられ、負荷に並列接続されスイッチ部のオフ時に位置確認灯を安定的に点灯させる電圧を位置確認灯に印加させるコンデンサを含むことを特徴とする位置確認灯付きスイッチ用コンデンサブロック。
【請求項２】
前記位置確認灯がネオンランプであり、位置確認灯に直列接続された第１の抵抗と、第１の抵抗よりも高抵抗であって位置確認灯と第１の抵抗との直列回路に並列接続される第２の抵抗とがそれぞれスイッチ部に並列接続されていることを特徴とする請求項１記載の位置確認灯付きスイッチ用コンデンサブロック。
【請求項３】
前記コンデンサはサージアブソーバ素子と並列接続されていることを特徴とする請求項１または請求項２記載の位置確認灯付きスイッチ用コンデンサブロック。
【請求項４】
板ばねよりなる鎖錠ばねのエッジを接続用導体に弾接させることにより接続用導体を鎖錠ばねで抜け止めする速結端子構造の端子が設けられた負荷に接続可能であって、前記コンデンサを備えるブロック本体から引き出されるリード線の先端部に前記接続用導体として棒型圧着端子が結合されていることを特徴とする請求項１ないし請求項３のいずれかに記載の位置確認灯付きスイッチ用コンデンサブロック。
【発明の詳細な説明】
【０００１】
【発明の属する技術分野】
本発明は、負荷のオフ時に位置確認灯が点灯する位置確認灯付きスイッチとともに用いられる位置確認灯付きスイッチ用コンデンサブロックに関するものである。
【０００２】
【従来の技術】
従来より、負荷への電源の入切を行なうスイッチに、スイッチのオフ時に点灯する位置確認灯を組み込んだものが提供されている。この種のスイッチ１は、図４に示すように、電源と負荷Ｌとの間に挿入されるスイッチ部ＳＷを備え、ネオンランプのような位置確認灯Ｌａと抵抗Ｒ１との直列回路および抵抗Ｒ１よりも高抵抗である抵抗Ｒ２をスイッチ部ＳＷに並列接続した構成を有している。抵抗Ｒ１，Ｒ２は、たとえば３３０ｋΩ，１ＭΩという関係に設定される。位置確認灯Ｌａとしてネオンランプを用いるときには、スイッチ部ＳＷの両端間に６０Ｖ以上の電圧が印加されたときに位置確認灯Ｌａが点灯することになる。つまり、スイッチ部ＳＷがオフになったときに、スイッチ部ＳＷの両端間に６０Ｖ以上の電圧が印加されると、位置確認灯Ｌａが点灯するのである。
【０００３】
【発明が解決しようとする課題】
ところで、スイッチ部ＳＷのオフ時に印加される電圧は、位置確認灯Ｌａの点灯前には抵抗Ｒ２と負荷Ｌの入力インピーダンスとの比に依存し、位置確認灯Ｌａの点灯時には抵抗Ｒ１，Ｒ２および位置確認灯Ｌａの合成抵抗と負荷Ｌの入力インピーダンスとの比に依存する。つまり、負荷Ｌの入力インピーダンスが小さいほどスイッチ部ＳＷの両端に印加される電圧は高くなる。
【０００４】
一方、負荷Ｌとしてグローランプにより蛍光灯を始動させる照明負荷を用いるとすれば、この種の負荷Ｌは消灯時における入力インピーダンスが比較的大きいものであって、スイッチ部ＳＷの両端間に十分な電圧を印加することができない場合がある。つまり、位置確認灯Ｌａがちらついたり場合によっては点灯しない場合もある。
【０００５】
また、図５に示すように、１つの負荷Ｌに対して複数箇所（図示例では４箇所）に設けたスイッチ１ａ，１ｂで操作しようとすれば、スイッチ１ａ，１ｂが並列的に接続され、位置確認灯Ｌａと抵抗Ｒ１，Ｒ２よりなる回路が並列接続されることになる。負荷Ｌの入力インピーダンスが１個のスイッチについては位置確認灯Ｌａを点灯させるのに十分な程度に低いとしても、４個のスイッチ１ａ，１ｂが並列的に接続されているときにはスイッチ１ａ，１ｂの並列回路全体としてのインピーダンスが小さくなり、負荷Ｌの入力インピーダンスに対するスイッチ１ａ，１ｂの相対的なインピーダンスが小さくなるから、位置確認灯Ｌａがちらついたり点灯しない場合が生じる。なお、図５におけるスイッチ１ａは３路スイッチ、スイッチ１ｂは４路スイッチを示しており、各スイッチ１ａ，１ｂは図の破線と実線との接続関係が選択可能になっている。
【０００６】
本発明は上記事由に鑑みて為されたものであり、その目的は、負荷の入力インピーダンスがスイッチに比較して相対的に大きい場合でも位置確認灯を確実に点灯可能とする位置確認灯付きスイッチ用コンデンサブロックを提供することにある。
【０００７】
【課題を解決するための手段】
請求項１の発明は、負荷と交流電源との間に挿入されるスイッチ部を備えるとともにスイッチ部に並列的に接続された位置確認灯を備える位置確認灯付きスイッチとともに用いられ、負荷に並列接続されスイッチ部のオフ時に位置確認灯を安定的に点灯させる電圧を位置確認灯に印加させるコンデンサを含むものである。
【０００８】
請求項２の発明は、請求項１の発明において、前記位置確認灯がネオンランプであり、位置確認灯に直列接続された第１の抵抗と、第１の抵抗よりも高抵抗であって位置確認灯と第１の抵抗との直列回路に並列接続される第２の抵抗とがそれぞれスイッチ部に並列接続されているものである。
【０００９】
請求項３の発明は、請求項１または請求項２の発明において、前記コンデンサがサージアブソーバ素子と並列接続されているものである。
【００１０】
請求項４の発明は、請求項１ないし請求項３の発明において、板ばねよりなる鎖錠ばねのエッジを接続用導体に弾接させることにより接続用導体を鎖錠ばねで抜け止めする速結端子構造の端子が設けられた負荷に接続可能であって、前記コンデンサを備えるブロック本体から引き出されるリード線の先端部に前記接続用導体として棒型圧着端子が結合されているものである。
【００１１】
【発明の実施の形態】
本実施形態では、負荷Ｌが照明負荷である場合について説明する。図１に示すように、負荷Ｌと商用電源である交流電源との間にはスイッチ１が挿入される。スイッチ１は従来の技術として説明したように、負荷Ｌへの交流電源を入切するスイッチ部ＳＷを備え、ネオンランプよりなる位置確認灯Ｌａと抵抗Ｒ１との直列回路、および抵抗Ｒ２がスイッチ部ＳＷにそれぞれ並列接続される。この種の位置確認灯Ｌａは負荷Ｌが消灯したときに暗所でもスイッチ１の場所をわかりやすくするために設けられている。
【００１２】
本発明は、負荷Ｌの入力インピーダンスがスイッチ１に比較して相対的に大きく、スイッチ部ＳＷのオフ時に位置確認灯Ｌａが安定的に点灯しない場合に、負荷Ｌに接続して用いるコンデンサブロック２であって、コンデンサＣとバリスタＶＳとを並列接続した構成を有している。つまり、コンデンサＣを負荷Ｌに並列接続すると、スイッチ部ＳＷのオフ時には負荷ＬとコンデンサＣとの合成インピーダンスとスイッチ１のインピーダンスとの比に応じた電圧が位置確認灯Ｌａに印加されることになり、負荷Ｌのみの場合に比較して位置確認灯Ｌａに印加される電圧が高くなる。その結果、位置確認灯Ｌａに比較的高い電圧を印加して位置確認灯Ｌａを安定的に点灯させることが可能になる。
【００１３】
ここにおいて、位置確認灯Ｌａを確実に点灯させるためには、コンデンサＣの容量を大きくするほうがよいが、コンデンサＣの容量が大きすぎると負荷Ｌの点灯時に負荷Ｌに十分な電圧を印加することができなくなったり、コンデンサＣに電流が流れることによって無駄な電力消費が生じたりすることがあるから、適正値を選択する必要がある。たとえば、グローランプにより蛍光灯を始動する照明負荷を用いるとする場合には、一般にはコンデンサＣの容量を０．１μＦに設定しておけばよいことがわかっている。
【００１４】
コンデンサブロック２に設けたバリスタＶＳは、雷サージなどによる過電圧や過電流に対してコンデンサＣを保護するものであり、過電圧や過電流に対してコンデンサＣの破壊、短絡、発火などを防止することができる。また、バリスタＶＳはコンデンサＣとともに難燃性の合成樹脂を用いてモールドされブロック本体３（図２参照）を形成する。図２、図３に示すように、ブロック本体３からは２本のリード線４が突設され、各リード線４の先端部には圧着端子５が固着される。このようにコンデンサブロック２はモールドされて１部品として扱うことができるから、取り扱いが容易になっている。
【００１５】
圧着端子５は棒型圧着端子と称するものであって、先端部に棒状の接続部５ａを備え、基部に円筒状の圧着部５ｂを備える。しかして、リード線４の先端部を圧着部５ｂに差し込んだ状態で工具を用いて圧着部５ｂを潰すように塑性変形させるとリード線４と圧着部５ｂとを強固に結合することができる。なお、圧着部５ｂおよびリード線４の一部に跨る形で絶縁チューブ６を取りつけておくのが望ましい。
【００１６】
上述した形状の圧着端子５を設けておけば、負荷Ｌに設けられた速結端子への接続作業が容易になる。速結端子は、板ばねよりなる鎖錠ばねのばね力を利用することによって接続用導体の結合と結合解除とを容易にする端子であって、鎖錠ばねには各種形状があるが、いずれも鎖錠ばねの端縁が接続用導体に弾接することにより接続用導体の抜け止めを行なう構成になっている。また、マイナスドライバの先端部などの工具を用いると、鎖錠ばねを接続用導体から遠ざけることができるようにしてあり、接続用導体の抜き差しが容易になっている。この構造の端子は負荷Ｌに設けた端子台７に収納されている。端子台７には４個の電線挿入口８ａ，８ｂが形成され、４本の接続用導体を各電線挿入口８ａ，８ｂにそれぞれ挿入することができるようになっている。２個の電線挿入口８ａは電源ないしスイッチ１を接続するものであり、残りの２個の電線挿入口８ｂは送り配線用である。つまり、送り配線用の２個の電線挿入口８ｂにそれぞれ対応する速結端子は、他の電線挿入口８ａにそれぞれ対応する速結端子と電気的に接続されている。
【００１７】
上述したコンデンサブロック２は送り配線用の電線挿入口８ｂに対して棒型圧着端子５を挿入することで負荷Ｌに接続される。コンデンサブロック２は棒型圧着端子５を備えていることによって、リード線４のままで電線挿入口８ｂに挿入する場合よりも折れ曲がりにくく、コンデンサブロック２の負荷Ｌへの接続作業が容易になる。
【００１８】
なお、バリスタＶＳが劣化した場合に過電圧や過電流によりコンデンサＣの破壊、短絡、発火などが生じることがあるから、これを防止するためにバリスタＶＳにはヒューズを直列接続しておくのが望ましい。
【００１９】
【発明の効果】
請求項１の発明は、負荷と交流電源との間に挿入されるスイッチ部を備えるとともにスイッチ部に並列的に接続された位置確認灯を備える位置確認灯付きスイッチとともに用いられ、負荷に並列接続されスイッチ部のオフ時に位置確認灯を安定的に点灯させる電圧を位置確認灯に印加させるコンデンサを含むものであって、負荷にコンデンサが並列接続されることによって、負荷のみのインピーダンスに比較すると、負荷とコンデンサとの並列回路の合成インピーダンスのほうが小さいから、負荷のインピーダンスが大きい場合でもスイッチ部のオフ時において位置確認灯に印加される電圧を比較的高くすることができ、コンデンサの容量を適正に設定すれば、位置確認灯をちらつきなく安定的に点灯させることが可能になる。
【００２０】
請求項２の発明は、請求項１の発明において、位置確認灯がネオンランプであり、位置確認灯に直列接続された第１の抵抗と、第１の抵抗よりも高抵抗であって位置確認灯と第１の抵抗との直列回路に並列接続される第２の抵抗とがそれぞれスイッチ部に並列接続されているものであり、この構成では、位置確認灯に発光ダイオードなどを用いる場合に比較して低消費電力であり、また商用電源を用いる場合に降圧手段も不要であって簡易な回路構成になる。
【００２１】
請求項３の発明は、請求項１または請求項２の発明において、コンデンサがサージアブソーバ素子と並列接続されているものであり、雷サージなどに対してコンデンサの破損を防止することができる。
【００２２】
請求項４の発明は、請求項１ないし請求項３の発明において、板ばねよりなる鎖錠ばねのエッジを接続用導体に弾接させることにより接続用導体を鎖錠ばねで抜け止めする速結端子構造の端子が設けられた負荷に接続可能であって、コンデンサを備えるブロック本体から引き出されるリード線の先端部に接続用導体として棒型圧着端子が結合されているものであり、比較的硬い棒型圧着端子を備えていることにより速結端子構造の端子に接続する際に曲がったりせず、結線作業が容易になる。
【図面の簡単な説明】
【図１】本発明の実施の形態を示す回路図である。
【図２】同上に用いるコンデンサブロックの斜視図である。
【図３】同上の分解斜視図である。
【図４】従来例を示す回路図である。
【図５】他の従来例を示す回路図である。
【符号の説明】
１  スイッチ
２  コンデンサブロック
３  ブロック本体
４  リード線
５  圧着端子
Ｃ  コンデンサ
Ｌ  負荷
Ｌａ  位置確認灯
Ｒ１，Ｒ２  抵抗
ＳＷ  スイッチ部
ＶＳ  バリスタ
【図１】
0003769935.tif 000002
【図２】
0003769935.tif 000003
【図３】
0003769935.tif 000004
【図４】
0003769935.tif 000005
【図５】
0003769935.tif 000006